(57)【要約】【課題】シート分割巻取装置における巻芯への接着剤付与作業を省力化すると共に、接着剤を巻芯上に適正に付与する。【解決手段】シート分割巻取装置に装着された複数の巻芯Ｃの、タッチローラ１に対向する部分に、夫々帯状シート先端接着用の接着剤Ｇを付与する。巻芯Ｃに接着剤を塗るための糊付頭２及び該糊付頭２に補給する接着剤を有する糊付器３と、糊付頭２を巻芯Ｃの、タッチローラ１に対向する部分へ向けた状態で糊付器３を複数の巻芯Ｃに平行な軸線方向に移動する移送機構４と、糊付頭２を、巻芯Ｃに接着剤Ｇを塗ることができる進出位置と巻芯からの後退位置とに進出後退させる進退機構５と、糊付頭２が各巻芯Ｃの糊付開始位置Ｌ１ａ、Ｌ３ａに達すると糊付頭２が進出位置へ進出し、各巻芯Ｃの糊付停止位置Ｌ１ｂ、Ｌ３ｂに達すると糊付頭２が進出位置から後退するように進退機構５を作動させる制御装置６とを備える。【選択図】　図１
2004142938.tif 000002
【特許請求の範囲】
【請求項１】
タッチローラを備えるシート分割巻取装置に装着された複数の巻芯の、前記タッチローラに対向する部分に、夫々帯状シート先端接着用の接着剤を付与する接着剤付与装置であって、前記巻芯に接着剤を塗るための糊付頭及び該糊付頭に補給する接着剤を有する糊付器と、前記糊付頭を前記巻芯の、タッチローラに対向する部分へ向けた状態で前記糊付器を前記複数の巻芯に平行な軸線方向に移動する移送機構と、前記糊付頭を、前記巻芯に接着剤を塗ることができる進出位置と巻芯からの後退位置とに進出後退させる進退機構と、前記移送機構により移動中の前記糊付頭が各巻芯の糊付開始位置に達すると前記糊付頭が進出位置へ進出し、各巻芯の糊付停止位置に達すると前記糊付頭が進出位置から後退するように前記進退機構を作動させる制御装置とを備えることを特徴とする巻芯への接着剤付与装置。
【請求項２】
タッチローラを備えるシート分割巻取装置に装着された複数の巻芯の、前記タッチローラに対向する部分に、夫々帯状シート先端接着用の接着剤を付与する接着剤付与装置であって、前記巻芯に接着剤を噴射するための糊付頭及び該糊付頭に補給する接着剤を有する糊付器と、前記糊付頭から接着剤を随時に噴射させることができる噴射機構と、前記糊付頭を前記巻芯の、タッチローラに対向する部分へ向けた状態で前記糊付器を前記複数の巻芯に平行な軸線方向に移動する移送機構と、前記移送機構により移動中の前記糊付頭が各巻芯の糊付開始位置に達すると前記糊付頭から接着剤が噴射され、各巻芯の糊付停止位置に達すると前記糊付頭からの接着剤の噴射が停止するように前記噴射機構を作動させる制御装置とを備えることを特徴とする巻芯への接着剤付与装置。
【請求項３】
シート分割巻取装置が備えるタッチローラ上に保持された複数の帯状シートの、前記シート分割巻取装置に装着された巻芯に対向する部分に、夫々接着剤を付与する接着剤付与装置であって、前記帯状シートに接着剤を噴射する糊付頭及び該糊付頭に補給する接着剤を有する糊付器と、前記糊付頭から接着剤を随時に噴射させることができる噴射機構と、前記糊付頭を、前記タッチローラ上の帯状シートの、前記巻芯に対向する部分に向けた状態で、前記糊付器を前記タッチローラに平行な軸線方向に移動する移送機構と、前記移送機構により移動中の前記糊付頭が各帯状シートの糊付開始位置に達すると前記糊付頭から接着剤が噴射され、各帯状シートの糊付停止位置に達すると前記糊付頭からの接着剤の噴射が停止するように前記噴射機構を作動させる制御装置とを備えることを特徴とする帯状シート先端部への接着剤付与装置。
【請求項４】
前記制御装置は、シート分割巻取装置が備えるスリッターによる各帯状シート分割位置に基づき、各帯状シートの糊付開始位置と糊付停止位置を演算し、この糊付開始位置と糊付停止位置とに基づき、前記進退機構又は前記噴射機構を作動させるものである、請求項１もしくは請求項２に記載の巻芯への接着剤付与装置、又は請求項３に記載の帯状シート先端部への接着剤付与装置。
【請求項５】
前記制御装置は、スリッターの自動制御装置からシート分割位置のデータを受け取るものである、請求項４に記載の巻芯への接着剤付与装置、又は請求項４に記載の帯状シート先端部への接着剤付与装置。
【請求項６】
前記糊付頭は、塗布用ローラと、接着剤を溜めた容器の中に配置した案内プーリ及び前記塗布用ローラに掛けた無端ベルトとからなる請求項１に記載の巻芯への接着剤付与装置。
【請求項７】
前記移送機構は、糊付器を支持案内する支持バーと、糊付器を支持バーに沿って往復駆動することができる往復駆動機構とからなることと、前記支持バーを、その長手直角方向に駆動することにより、前記糊付頭が巻芯又は帯状シート先端部の接着剤付与箇所に向き合う進出位置と退避位置とに進出後退させることができる支持バー移動機構を備えることを特徴とする前記請求項１又は請求項２に記載の巻芯への接着剤付与装置又は請求項３に記載の帯状シート先端部への接着剤付与装置。
【請求項８】
請求項１若しくは請求項２又は請求項４に記載の巻芯への接着剤付与装置、又は、請求項３若しくは請求項５に記載の帯状シート先端部への接着剤付与装置を備えると共に、前記巻芯上に巻取ロールが巻き上がった後、タッチローラ上の帯状シートを該タッチローラ上に保持するシート保持機構と、前記巻取ロールに繋がっている帯状シートを、前記タッチローラと新しい巻芯との接点より下流側で切断する切断機構とを備えるシート分割巻取装置。
【請求項９】
前記シート保持機構は、押さえ板を備え、この押さえ板の先端又は先端付近で、タッチローラと巻芯との接点より上流側のタッチローラ外周面上に帯状シートを押付ける請求項８に記載のシート分割巻取装置。
【発明の詳細な説明】
【０００１】
【発明の属する技術分野】
本発明は、プラスチック、紙等の広幅の帯状シートをスリッターにより複数条の所要幅の帯状シートに分割して巻き取るシート分割巻取装置の巻取装置に装着された複数の巻芯にシート先端接着用の接着剤を付与する接着剤付与装置、並びに、シート分割巻取装置のタッチローラ上に保持された帯状シートの先端部に接着剤を付与する帯状シート先端部への接着剤付与装置、及びシート分割巻取装置に関する。
【０００２】
【従来の技術】
従来、シート分割巻取装置においてシート先端接着用の接着剤を巻芯に付与する接着剤付与装置としては、新しい巻芯を巻取装置の巻芯チャックに装着する前に、巻芯供給手段において、一対の塗布用刷毛により接着剤容器の接着剤を新しい巻芯の両端付近の２箇所の全周に塗布するものがある（特開平１０−３５９５９号公報参照）。
【０００３】
また、巻取装置に装着され１列に並んだ複数の巻芯に平行に伸び、かつ複数の巻芯の表面に向けて開口した霧通し管を備え、この霧化手段により霧化された接着剤を霧通し管から噴出させることで、巻芯の全長にわたって均一な幅で付着させるものが提案されている（特開昭６２−２４０２４７号公報参照）。
【０００４】
また、完成した巻取ロールを巻取装置から受取り巻芯長手方向に搬送して巻取装置の外側方に取出す搬送台車上に巻芯補給装置を備えるシート分割巻取装置では、搬送台車を装置内に復帰させるときに、巻取装置の外側方で巻芯補給装置に装着した新しい巻芯に接着剤を噴射する接着剤噴射ノズルを備えるものもある（特許第２８０２９０１号公報参照）。
【０００５】
【発明が解決しようとする課題】
ところが、接着剤を新しい巻芯の両端付近２箇所の全周に塗布する上述の接着剤付与装置では、巻芯の２箇所にしか接着剤を付与できないので、巻芯に接着された帯状シートには２箇所の接着箇所に巻取張力が集中し、それによってシワが発生して巻取ロールが不良品になり易いという問題が生じる。特に帯状シートが薄くて伸びやすいプラスチックフィルの場合に、この問題が顕著になる。しかも、巻芯の２箇所で円周方向の全周に接着剤を塗布するので、帯状シートの巻芯への接着長さが長くなり帯状シートの無駄も多くなるし、巻取ロールから帯状シートを巻戻して使用した後、巻芯再利用のために、帯状シート接着部分を巻芯から剥がす際に手間もかかる。
【０００６】
また、巻取装置に装着され１列に並んだ複数の巻芯に平行に伸び、かつ複数の巻芯の表面に向けて開口した霧通し管を備える接着剤付与装置では、霧通し管の全長にわたって開口を設けると、巻芯以外の部分にも霧化した接着剤が付着するという問題が生じる。この問題は、巻芯に対向する部分以外の開口を塞ぐことにより回避できるが、スリッターによる帯状シート分割幅が変更されたときに開口の位置を変更しなければならず、この作業が面倒であり手間がかかることになる。
【０００７】
また、搬送台車上の巻芯供給装置が巻取装置内に復帰するとき巻芯に接着剤を噴射するノズルを備える接着剤付与装置は、巻芯をセンサで検出して噴射ノズルを作動させるので、巻芯の長さが帯状シート幅より長い場合は、接着剤が帯状シートからはみ出した状態で付着し、巻取ロールの端面に接着剤が付着して不良品となる原因になる。またシート分割巻取装置が、巻取ロールを巻取装置の外側方に取出す搬送台車を備えない場合には使用できず、搬送台車を設けた場合は、搬送台車が、巻取装置による巻取ロールの支持間隔と同じ間隔で巻取ロールを支持しなければならないので、シート分割巻取装置は、その外側方に搬送台車を待機させるための大きな設置空間が必要になる。また予め接着剤を巻芯に付与した後、その巻芯をシート分割巻取装置に装着するので、接着剤を巻芯に付与して帯状シートを接着するまでに時間がかかる。そのため接着剤が乾いて接着が不確実になり易い。
【０００８】
本発明の目的は、上述のような問題点に鑑み、シート分割巻取装置においてスリッターにより分割された帯状シートの先端を巻取開始前に巻芯に巻付けるために行う、巻芯又は帯状シート先端部への接着剤付与作業を省力化すると共に、巻芯又は帯状シートの先端部に接着剤を適正に付与することにある。
【０００９】
【課題を解決するための手段】
本発明では、接着剤を塗布又は噴射する糊付頭及び該糊付頭に補給する接着剤を有する糊付器を、前記糊付頭が、シート分割巻取装置の巻取装置に装着した巻芯の、タッチローラに対向する部分に、又は、タッチローラ上に保持した帯状シートの先端部の、巻取装置に装着した巻芯に対向する部分に向いた状態で、前記巻芯に平行な軸線方向に移送機構により移動させながら、前記糊付頭が糊付開始位置に達するとその糊付頭が接着剤の塗布又は噴射を開始し、前記糊付頭が糊付停止位置に達するとその糊付頭が接着剤の塗布又は噴射を停止するように、前記糊付頭による接着剤の塗布又は噴射を可能にする機構を制御装置によって制御する。
【００１０】
【発明の実施の形態】
図１は本発明の巻芯への接着剤付与装置の第１実施態様に係る説明図である。図１において、巻芯への接着剤付与装置Ａ１は、シート分割巻取装置に備えた巻取装置（図示しない）に装着されて共通の中心軸線ＣＬ上に１列に並んだ複数の巻芯Ｃ１、Ｃ３の、タッチローラ１に対向する部分に、夫々帯状シートＳ１、Ｓ３の先端を接着するための接着剤Ｇを付与するものであり、巻芯Ｃ１、Ｃ３に接着剤Ｇを塗るための糊付頭２及びこの糊付頭２に補給する接着剤Ｇを有する糊付器３と、糊付頭２が巻芯Ｃ１、Ｃ３の、タッチローラ１に対向する部分へ向いた状態で糊付器３を、複数の巻芯Ｃ１、Ｃ３に平行な軸線方向に移動する移送機構４と、糊付頭２を、巻芯Ｃ１、Ｃ３に対して接着剤Ｇを塗ることができる進出位置と後退位置とに進出後退させるとができる進退機構５と、糊付頭２が各巻芯Ｃ１、Ｃ３の糊付開始位置（Ｌａ１、Ｌａ３）に達すると糊付頭２が進出位置へ進出し、各巻芯Ｃ１、Ｃ３の糊付停止位置（Ｌｂ１、Ｌｂ３）に達すると糊付頭２が進出位置から後退するように進退機構５を作動させる制御装置６とを備える。
【００１１】
シート分割巻取装置は、矢印ＡＲ１方向に供給される広幅の帯状シートＳ０を公知のスリッター７により複数の帯状シートＳ１、Ｓ２、Ｓ３、Ｓ４に分割し、それぞれの巻芯Ｃ１、Ｃ２、Ｃ３、Ｃ４のまわりにロール状に巻き取るための装置であり、巻取中、タッチローラ１は、巻芯のまわりに巻き取られた帯状シートの巻取ロールに接触する。
【００１２】
スリッター７は、個々に刃物Ｋをもつ複数の刃物保持装置８を備え、各刃物保持装置８は、広幅の帯状シートＳ０の幅方向に平行に伸びた案内梁部材９に摺動可能に取り付けてあり、案内梁部材９上の刃物保持装置８の各々を必要な間隔で配置することにより、幅広の帯状シートＳ０を刃物Ｋにより長手方向に切断して異なる幅又は同一幅の複数の帯状シートＳ１、Ｓ２、Ｓ３、Ｓ４に分割することができる。
【００１３】
分割された帯状シートＳ１、Ｓ２、Ｓ３、Ｓ４は、交互に前後に振り分けられ、タッチローラ１を経て、巻芯Ｃ１、Ｃ２、Ｃ３、Ｃ４に至り、夫々の先端部が巻芯に接着剤で接着された後、巻き取られるが、図１は、帯状シートＳ１、Ｓ２、Ｓ３、Ｓ４の先端部が、巻芯に接着される前の段階においてタッチローラ１上に保持された状態を示している。なお、後側へ振り分けた帯状シートＳ２、Ｓ４を巻き取るための巻芯Ｃ２、Ｃ４については、前側の巻芯への接着剤付与装置Ａ１と同様の図示しない装置により接着剤Ｇが付与される。
【００１４】
図２は、糊付器並びに糊付頭の進退機構及び糊付器の移送機構を示す正面図、図３は同じく平面図、図４は同じく側面図である。図２及び図３では移送機構の中央部分を省略して示している。糊付器３は接着剤を溜める容器１０を備え、この容器１０に例えば酢酸ビニル系の糊、澱粉糊、或いは適当な粘稠液等を接着剤として溜めておく。糊付頭２は、例えばスポンジ等の多孔質部材又は刷毛からなり接着剤を含ませることができ、容器１０の下部に取り付けてある。容器１０と糊付頭２とは接着剤の通路で連絡してあり、糊付頭２に容器１０内の接着剤が重力等の働きにより通路を通じて適度に補給されるようにしてある。それゆえ、糊付頭２は、それを巻芯Ｃに接触させた状態で巻芯Ｃに沿って移動したとき、その移動中に連続的に巻芯Ｃとの接触部位に接着剤Ｇを塗ることができる。また、この糊付器３は、進退機構５を含んでおり、進退機構５により糊付頭２を進出位置に進出させることで、その糊付頭２を巻芯Ｃの外周面に接触させることができる。
【００１５】
進退機構５は、糊付器３の基台１１に設けた流体圧シリンダ装置１２を備える。この流体圧シリンダ装置１２は、そのピストンロッド１２ａを巻芯Ｃへ向けた状態でシリンダ本体１２ｂを基台１１に固着してあり、そのピストンロッド１２ａの先端に容器１０を保持している。
【００１６】
流体圧シリンダ装置１２のピストンロッド１２ａを作動させて糊付頭２を進出位置へ進出させるために、可とう性ダクト１３内に収容したホース（図示せず）から圧力流体の供給を受ける電磁切換え弁１４を基台１１上に取付け、この電磁切換え弁１４と流体圧シリンダ装置１２のシリンダ内とを管路（図示せず）で接続し、電磁切換え弁１４のソレノイド部と図１に示す制御装置６とを、ダクト１３に収容した電線（図示せず）で接続している。
【００１７】
移送機構４は、糊付器３の基台１１を固着した移動体１５と、移動体１５を支持案内する、巻芯Ｃに平行に伸びた支持バー１６と、移動体１５を支持バー１６に沿って往復駆動することができる往復駆動機構１７とからなる。支持バー１６は、シート分割巻取装置に装着した全ての巻芯Ｃに対応する長さ有し、その両端付近においてシート分割巻取装置のフレーム１８、１８の適当な箇所に取り付けあり、また前述の移動体１５を移動可能に装着した、巻芯に平行に伸びたレール１６ａを持っている。
【００１８】
往復駆動機構１７は、支持バー１６の両端付近に設けたプーリ１９及びプーリ２０と、プーリ１９とプーリ２０とに平行掛けすると共に両端を糊付器３の移動体１５に連結したタイミングベルト２１と、片方のプーリ１９を正逆両方向に選択的に回転駆動することができるモータ２２とを備える。モータ２２は、接着剤付与時に起動してプーリ１９を図２における時計方向に回転駆動し、糊付器３が支持バー１６のプーリ１９側の待機位置からプーリ２０側の移動限まで移動すると、プーリ１９を反時計方向に回転駆動し、糊付器３を再び待機位置に復帰すると停止するようにしてある。
【００１９】
図１において、小型コンピュータからなる制御装置６には、入力装置６ａ、往復駆動機構１７のモータ２２の回転に応じて一定の角度ごとにパルス信号を発生するロータリーエンコーダ２３、及び、移動する糊付頭２を基準位置において検知して検知信号を発生するセンサ２４が夫々電気的に接続されている。
【００２０】
図５に示すように、制御装置６は入力装置６ａから入力された各巻芯の糊付開始位置Ｌ１ａ、Ｌ３ａ及び糊付停止位置Ｌ１ｂ、Ｌ３ｂを記憶する糊付位置記憶手段２５と、糊付器３の糊付頭２の現在位置Ｌを時々刻々検出する位置検出手段２６と、糊付位置記憶手段２５からの糊付開始位置及び糊付停止位置と、位置検出手段２６からの現在位置の検出値とを比較して、位置検出手段２６による検出値が記憶した糊付開始位置に等しくなってから糊付停止位置に等しくなるまでの間、糊付頭２が進出位置へ進出するように進退機構５を作動させるための制御信号を発生する制御信号発生手段２７とを備える。
【００２１】
この場合、進退機構５は、流体圧シリンダ装置１２に圧力流体を電磁切換え弁１４を通じて供給することにより、糊付頭２を進出位置に進出させることができる。そのため、制御信号発生手段２７は、糊付頭２が進出するように進退機構５を作動させるとき、制御信号として所定電圧を電磁切替え弁１４に出力して電磁切換え弁１４を開き、糊付頭２が進出位置から後退するように進出機構５を作動させるとき、所定電圧の電磁切換え弁１４への出力を停止して電磁切換え弁１４を閉じる。
【００２２】
糊付位置記憶手段２５は、帯状シートＳ１、Ｓ３の糊付開始位置及び糊付停止位置を、図１に示す基準点Ｐからその位置までの距離Ｌ１ａ、Ｌ３ａ、Ｌ１ｂ、Ｌ３ｂとして記憶する。また位置検出手段２６は、ロータリーエンコーダ２３からパルス信号を受け取ると共にセンサ２４からの検知信号を受け取ることができ、センサ２４の検知信号を受けたときロータリーエンコーダ２３からのパルス信号の計数を開始し、その計数値に基づき、適当な位置に設定された基準点Ｐからの距離Ｌを糊付頭２の現在位置として刻々記憶する。
【００２３】
次に、図１に示す巻芯へ接着剤付与装置Ａ１の動作について説明する。巻取装置に装着した巻芯Ｃ１、Ｃ３に接着剤Ｇを付与するには、入力装置６ａより各巻芯Ｃ１、Ｃ３の糊付開始位置Ｌ１ａ、Ｌ３ａ、及び糊付停止位置Ｌ１ｂ、Ｌ３ｂを入力して糊付位置記憶手段２５に記憶させておく。その後、図１に示す往復駆動機構１７のモータ２２を作動させて糊付器３を、図１に示す待機位置から支持バー１６沿いに右方へ走行させる。そして糊付頭２が走行して最初の帯状シートＳ１に対する巻芯Ｃ１への糊付開始位置Ｌ１ａにきたとき、制御装置６の働きにより進退機構５が作動して流体圧シリンダ装置１２のピストンロッドが進出し、糊付頭２が巻芯Ｃに押し当てられ、糊付頭２が糊付停止位置Ｌ１ｂにきたとき、制御装置６の働きにより流体圧シリンダ装置１２のピストンロッドが後退して糊付頭２が巻芯Ｃから後退し、その間に糊付頭２から巻芯Ｃの外周面の、タッチローラ１に対向する部分に接着剤Ｇが所定長さ付与される。そして次の帯状シートＳ３に対しても糊付頭２は同様に作動する。糊付器３が巻取装置の全巻取幅を走行すると往復駆動機構１７のモータ２２を逆転作動させて糊付器３を待機位置に復帰させる。このとき糊付頭２は後退位置につけ、進退機構５は作動しないようにしておく。
【００２４】
なお制御装置６が進退機構５に作動を指令してから実際に糊付頭２が巻芯Ｃに接触離反するまで僅かな遅れがあるので、厳密には、設定した糊付開始位置、糊付停止位置と、実際の糊付開始位置、糊付停止位置とは一致せず、その誤差が無視できない場合には、その誤差を加味して糊付開始位置、糊付停止位置の設定を行うとよく、必要に応じて、設定値から所定の誤差分を差し引いて糊付位置記憶手段２５に記憶させる補正回路を設けてもよい。
【００２５】
図６は本発明による巻芯への接着剤付与装置の第２実施態様に係る説明図である。帯状シートの分割幅や分割数の変更に伴い刃物保持装置８の位置を変更する作業の省力化を図るために、図６に示すスリッター７では、各刃物保持装置８を、案内梁部材９上を移動させて夫々の設定した目的位置に配置することができる公知の自動位置決め装置２８を備えている。この自動位置決め装置２８は、例えば特公平１−１６６３９号公報に開示されているので、これについての詳細な説明は省略するが、入力装置２８ａから入力されたシート分割幅又は分割位置に基づき各刃物保持装置８の目的位置を演算して記憶し、各刃物Ｋの現在位置を、夫々検出器２９により時々刻々検出することができるようになっている。
【００２６】
図７に示すように、制御装置６は、スリッター７によるシート分割位置Ｌ１、Ｌ２、Ｌ３、Ｌ４を記憶する分割位置記憶手段３０と、帯状シートＳの両縁から巻芯Ｃ上の接着剤付与部分の両端までの夫々の接着剤非付与部分の長さＬａ、Ｌｂを記憶する非付与長記憶手段３１と、分割位置記憶手段３０及び非付与長記憶手段３１に記憶した分割位置及び接着剤非付与部分長さより、巻取装置で巻取る各帯状シートＳ１、Ｓ３の糊付開始位置Ｌ１ａ、Ｌ３ａ、及び糊付停止位置Ｌ１ｂ、Ｌ３ｂを演算して記憶する糊付位置演算手段３２と、糊付器３の糊付頭２の現在位置Ｌを時々刻々検出する位置検出手段２６と、糊付位置演算手段３２からの糊付開始位置及び糊付停止位置と、位置検出手段２６からの検出値を比較して、位置検出手段２６による検出値が演算した糊付開始位置に等しくなってから糊付停止位置に等しくなるまでの間、進退機構５を糊付頭２が進出するように作動さたせるための制御信号を発生する制御信号発生手段２７とを備える。
【００２７】
分割位置記憶手段３０は、図６における基準点Ｐから刃物Ｋまでの距離Ｌ１、Ｌ２、Ｌ３、Ｌ４を夫々の分割位置として記憶し、非付与長記憶手段３１は、図６に示す糊付器３の待機位置に近い方の巻芯端から糊付開始位置までの長さＬａ、糊付器３の待機位置に遠い方の巻芯端から糊付停止位置までの長さＬｂを夫々接着剤非付与長さとして入力装置６ａから入力される。糊付位置演算手段３２は、図６における糊付開始位置Ｌ１ａ、Ｌ３ａを、演算式（Ｌ１ａ＝Ｌ１＋Ｌａ、Ｌ３ａ＝Ｌ３＋Ｌａ）に基づき演算し、糊付停止位置Ｌ１ｂ、Ｌ３ｂを、演算式（Ｌ１ｂ＝Ｌ２−Ｌｂ、Ｌ３ｂ＝Ｌ４−Ｌｂ）に基づき演算する。
【００２８】
図６において、スリッター７によるシート分割位置が変更されても、それに応じて自動的に接着剤の付与位置が変わるようにするために、図７の分割位置記憶手段３０は、スリッター７の自動位置決め装置２８からシート分割位置のデータＬ１、Ｌ２、Ｌ３、Ｌ４を受け取って記憶する。したがって、制御装置６は、スリッター７によるシート分割位置に基づき糊付開始位置及び糊付停止位置を演算して、糊付器３の接着剤付与動作を制御することができる。なお、スリッター７の自動位置決め装置２８を備えない場合には、図７に示す制御装置６を、シート分割位置のデータを入力装置６ａから分割位置記憶手段３０に入力することができるものに替えることができる。
【００２９】
図８乃至図１０に糊付器及び進退機構の別の態様を示す。図８は糊付器の正面図、図９は同じく平面図、図１０は図８における切断線Ｂ−Ｂ沿いの断面を矢印Ｄ方向に見た断面図である。
【００３０】
糊付頭２は、塗布用ローラ３４と、この塗布用ローラ３４の外周面に容器１０の中の接着剤Ｇを供給するための無端ベルト３５とからなる。無端ベルト３５は塗布用ローラ３４と、容器１０内に配置した案内プーリ３６とに掛けてある。
【００３１】
塗布用ローラ３４が巻芯Ｃの表面をその巻芯長手方向に転がることができるようにするために、塗布用ローラ３４の中心軸線は、巻芯Ｃの中心から、巻芯Ｃの外周面の接着剤付与部分を通って半径方向に伸びた軸線に対して直角又はほぼ直角に向ける。この場合、巻芯Ｃのタッチローラとの接点は、巻芯Ｃの中心を通る水平線上にあるので、また塗布用ローラ３４は容器１０より高い位置にあるので、図１０に示すように塗布用ローラ３４を支持する支持部材３７をかぎ形に形成し、その支持部材３７の水平方向に伸びた部分の先端付近の上面に塗布用ローラ３４を回転自在に装着し、支持部材３７の下方に伸びた部分の背面の下端付近に案内プーリ３６を回転自在に装着し、支持部材３７の曲がり角付近の左右側面に中間プーリ３８、３９を回転自在に装着し、この中間プーリ３８、３９に無端ベルト３５を掛け、かぎ形の支持部材３７に沿って無端ベルト３５が循環するようにしてある。
【００３２】
進退機構５は、糊付頭２を保持する可動腕４０と、可動腕４０を動かすための流体圧シリンダ装置１２とを備える。この可動腕４０は、糊付器３の基台１１に固設した軸部材４１にそれを中心に揺動可能に装着し、糊付頭２は、それを装着した支持部材３７を可動腕４０の一端に固着することにより、可動腕４０の一端に配置してある。流体圧シリンダ装置１２のシリンダ１２ｂは基台１１にブラケット１２ｃを介して固着し、ピストンロッド１２ａは公知の連結器１２ｄにより可動腕４０の他の一端に連結してある。そして、図１に示す流体圧シリンダ装置１２と同様に、基台１１に取付けた切換え弁１４を経て供給される圧力流体によって作動する。
【００３３】
この糊付器３を往復駆動機構１７により支持バー１６沿いに走行させながら、図９に示すように進退機構５により糊付頭２を、実線で示す進出位置につけると、糊付頭２が巻芯Ｃへ押付けられて、塗布用ローラ３４の外周面に付着している接着剤が巻芯Ｃに塗布されると共に、その間は巻芯Ｃと糊付頭２との摩擦力により塗布用ローラ３４が回転して無端ベルト３５が循環し、容器１０内の接着剤Ｇが無端ベルト３５により塗布用ローラ３４の外周面に連続的に供給される。したがって、この糊付器３を備えた巻芯への接着剤付与装置によれば、接着剤が容器１０から糊付頭２の巻芯Ｃとの接触面に安定して確実に供給でき、帯状シートＳの先端を巻芯Ｃに確実に接着することができる。
【００３４】
接着剤が比較的早く乾くものである場合には、図８及び図１１に示すように、糊付器２の待機位置付近の所定位置に、移動中の塗布用ローラ３４の外周部に係合して該塗布用ローラ３４を回転させるための所定長さの係合体４２を設けるのが望ましい。この係合体４２は、その基部４２ａを支持バー１６に固着してあり、糊付器３の走行に支障のないように形成してある。このようにすることにより、糊付頭２の接着剤が乾いていても、モータ２２が起動して糊付器３が走行を開始した直後に、塗布用ローラ３４が係合体４２に係合し、その間は両者の摩擦力で塗布用ローラ３４が回転して無端ベルト３５が循環し、塗布用ローラ３４が巻芯Ｃへの糊付開始位置に到達する前に、その塗布用ローラ３４に容器１０の中の新しい接着剤Ｇが供給されて付着する。係合体４２と、支持バー１６に沿って移動する塗布用ローラ３４とを係合させるために、係合体４２は、後退位置にある塗布用ローラ３４に係合する位置に配置する。必要に応じて、係合体４２を進出位置にある塗布用ローラ３４に係合する位置に配置し、後退位置にある塗布用ローラ３４が係合体４２に対向する位置にきたとき、塗布用ローラ３４が一定時間だけ電磁切換え弁１４を切換えて進出位置に進出するように進退機構５を作動させるようにしてもよい。
【００３５】
本発明によれば、進退機構が糊付器と共に移動しないようにして進退機構への動力の供給を容易にするために、図１２に示すように、移送機構４を、糊付器３を支持案内する、巻取装置Ｗに装着した巻芯Ｃに平行に伸びた支持バー１６と、糊付器３を支持バー１６に沿って往復駆動することができる往復駆動機構１７とで構成し、糊付頭２を基台１１に対し固定した位置に配置し、進退機構５を、支持バー１６を、その長手方向に直角方向かつ糊付頭２の進出後退方向に移動可能に両端支持する支持機構４３と、支持バー１６を進退駆動する駆動機構４６とで構成してもよい。支持機構４３は、支持バー１６の両端に設けた軸体４４と、軸体４４を回転自在に保持する一対のブラケット４５とからなり、ブラケット４５は一対のフレーム１８に設けてある。支持バー１６の駆動機構４６は、流体圧シリンダ装置１２を備え、その流体圧シリンダ装置１２のシリンダ１２ｂの一端はフレーム１８に取付け、ピストンロッド１２ａの先端は、支持バー１６の端部に固設したアーム１６ｂに連結してある。糊付頭２が軸体４４を中心に旋回して後退位置と進出位置とに選択的に配置されるようにアーム１６ｂを押し引きするために、その流体圧シリンダ装置１２のピストン前後の室内に、夫々圧力流体を切換えて供給することができる公知の切換え弁１４を備え、この切換え弁１４を、図１又は図６に示す制御装置６と同様の制御装置により切換えることができるようにしてある。
【００３６】
図１３は、図１又は図６に示す巻芯への接着剤付与装置を備えたシート分割巻取装置の概略側面図、図１４は、図１３に示すシート分割巻取装置の概略平面図である。このシート分割巻取装置では、前後に配置した巻取装置Ｗを備えるので、スリッター７で分割されて隣接する帯状シートＳは前後の振り分けローラ４７へ交互に振り分けられ、タッチローラ１を経て、前後の巻取装置Ｗに装着した巻芯Ｃへ導かれる。また前後の巻取装置Ｗ夫々に対応させて、巻芯への接着剤付与装置Ａが備えてある。
【００３７】
タッチローラ１は、分割された帯状シートＳの幅に応じた長さのもので、公知の一対の支持腕装置４８の間に架け渡して取り付けてある。この支持腕装置４８はタッチローラ１を巻芯へ所要の力で押付けることができるようにしてあり、タッチローラ１を巻取中に巻芯Ｃ上に巻き取られた帯状シートＳの巻取ロールＲに接触させることができる。帯状シートＳの幅に応じた長さのタッチローラ１を一対の支持腕装置４８間に装着するために、支持腕装置４８の基部は、少なくとも両端をフレーム１８に固定した案内部材４９に沿ってその長手方向に移動でき、所望の位置においてその場に固定できるようにしてある。なおタッチローラは広幅の帯状シートＳ０の全幅にわたる長さを有し、巻取装置に装着した各巻芯に対して共通のものを採用してもよい。その場合の巻取装置は、装着している巻芯を個々に所要の力でタッチローラへ押付ける機能を有することが望ましい。
【００３８】
巻取装置Ｗは、巻芯Ｃをその両端部において支持する一対の巻取アーム５０を備える。一対の巻取アーム５０には、その先端部に巻芯Ｃを着脱する巻芯チャック５０ａが夫々向かい合わせに配設してある。
【００３９】
巻取装置Ｗに、帯状シートＳの幅に応じた長さの巻芯Ｃを装着するために、各巻取アーム５０の基部を、夫々間隔調整台５１に摺動することができ、所望の位置で間隔調整台５１に固定することができるように取り付けてある。
【００４０】
巻芯Ｃを回転させて、帯状シートＳをその上に巻くために、巻取アーム５０に電動機５２を配置し、その出力軸の回転を、適当な動力伝達機構を介して巻芯チャック５０ａに伝達し、更に巻芯チャック５０ａから巻芯Ｃに伝達することができるようにしてある。
【００４１】
巻取アーム５０に装着した巻芯Ｃ上に巻き取った帯状シートＳの巻取ロールＲの半径が増大するにつれ、その巻取ロールＲに接触するタッチローラ１と巻芯Ｃとの間隔を大きくするために、また、このシート分割巻取装置の場合、タッチローラ１を所定位置に維持できるようにするために、巻取アーム５０は、巻取開始時に巻芯Ｃをタッチローラ１に接触する位置まで前進させ、巻取ロールＲの半径が増大するにつれ巻芯Ｃを巻取ロール半径Ｒの増加分だけタッチローラ１から後退させる必要がある。そのために、間隔調整台５１の基部を、床の上に固定したレール５３上に移動できるように取り付け、レール５３に平行にネジ棒５４を配設し、このネジ棒５４に、間隔調整台５１に固設したナット５５を螺合させると共に、そのネジ棒５４の一端を公知の回転駆動機構５６に連結し、ネジ棒５４を回転駆動機構５６により正逆両方向に選択的に所要速度で回転駆動することができるようにしてある。なお、巻取装置Ｗは、巻芯に平行な軸線を中心に揺動可能な巻取アームを備えたものでもよく、また巻芯を常時固定位置に保持するものとし、巻取ロールの半径増大につれてタッチローラを巻芯に対して進退できるようにしたものでもよい。
【００４２】
巻取ロールが巻き上がってから次の巻取りを開始するまでの時間を短縮して稼動率を向上させると共に作業の省力化を図るために、このシート分割巻取装置は、巻上がった巻取ロールＲからタッチローラ１へ延びている帯状シートＳを、タッチローラ１の巻取ロールＲとの接点より僅かに下流側で切断する切断機構５７と、切断された上流側の帯状シートＳの先端部をタッチローラ１上に保持するシート保持機構５８とを、前後の巻取装置Ｗに沿って備えている。
【００４３】
前後の切断機構５７は、それ自体は公知であって、図１５、図１６に示すように、帯状シート幅方向に平行に伸びた、広幅の帯状シートＳ０の全幅に対応する長さを持つ案内梁部材５９と、この案内梁部材５９に沿って案内部材５９の一端付近の待機位置と他の一端付近の移動限の間を往復駆動されるナイフ保持装置６０に装着した、帯状シートＳを切断するためのナイフ６１と、案内梁部材５９を、ナイフ６１が帯状シートＳを切断可能になる実線で示す進出位置と、帯状シートＳや巻取ロールＲから退避する図１３に示す退避位置とに選択的に配置することができる進出退避機構６２とからなる。
【００４４】
進出退避機構６２は、巻取装置に装着した巻芯Ｃの中心とタッチローラ１の中心を通る直線に直角又は概略直角に交差する方向に伸びた案内面を有する、左右一対のフレーム１８に夫々固設した案内体６３と、各案内体６３にスライド可能に装着したスライド体６４とを備える。スライド体６４は、その一端で案内梁部材５９を保持し、他の一端を、図示しないモータにより正逆両方向に選択的に回転駆動されるネジ棒、又は流体圧シリンダ装置のピストンロッド等に係合している。
【００４５】
図１５に示すように、左側の巻取装置Ｗのシート保持機構５８は、切断機構５７の案内梁部材５９に装着した押さえ板６５からなり、この押さえ板６５の先端付近又は先端で帯状シートＳを、タッチローラ１と巻芯Ｃとの接点より僅かに上流側のタッチローラ１の外周面上に押付けて保持することができる。図１５に示す案内梁部材５９は切断位置についており、押さえ板６５は帯状シートＳをタッチローラ１上に保持している。
【００４６】
図１６に示すように、右側の巻取装置Ｗに対応する巻芯への接着剤付与装置Ａは、支持バー１６を、鎖線で示す退避位置と実線で示す進出位置に選択的に移動させることができる支持バー移動機構６６を備えており、シート保持機構５８は、支持バー１６に装着した押さえ板６５からなる。支持バー移動機構６６は、支持バー１６の両端に設けた脚部１６ｂを案内する、フレーム１８に設けたレール６７と、支持バー１６の脚部１６ｂをレール６７に沿って駆動するアクチュエータ６８とからなる。なお、図１５、図１６に示す押さえ板６５は、広幅の帯状シートの全幅に対応するように案内梁部材５９又は支持バー１６の長手方向に所定の間隔をおいて並ぶ複数の板部材、若しくはほとんど隙間なく並ぶ複数の板部材、又は一つの板部材で構成されており、適度の弾力性を持っている。そのため、帯状シートを薄いものから厚いものまで確実にタッチローラ上に保持することができる。
【００４７】
図１３、図１４に示すシート分割巻取装置において巻取ロールＲが巻き上がると、前後の巻取装置Ｗでは、夫々ネジ棒５４の回転駆動機構５６が作動し、巻取アーム５０が後退して巻取ロールＲとタッチローラ１との間が開き、その後、案内梁部材５９が退避位置から切断位置に移動する。それによって左側の巻取装置Ｗでは、シート保持機構５８の押さえ板６５により帯状シートＳが、タッチローラ１と巻芯Ｃとの接点の僅かに上両側でタッチローラ１に押し付けられて保持される。また右側の巻取装置Ｗでは、巻芯への接着剤付与装置の支持バー１６が移動機構６６によって進出位置に移動する。それによってシート保持機構５８の押さえ板６５の先端付近又は先端により帯状シートＳがタッチローラ１の外周面に押し付けられて保持される。その後、前後の切断機構５７のナイフ６１が夫々案内梁部材５９沿いに往復移動して帯状シートＳが切断される。その後、左右の巻取装置Ｗの巻取アーム５０から巻取ロールＲを取り外して搬出した後、巻取アーム５０に新たな巻芯Ｃを取り付け、回転駆動機構５６を起動してネジ棒５４を前進方向に回転駆動すると巻取アーム５０が前進し、図１５、図１６に示す接着剤付与位置につくと、図示しないセンサが作動して、その前進が停止する。
【００４８】
巻取アーム５０の前進が停止すると、巻芯への接着剤付与装置Ａにより、新たな巻芯Ｃの外周面の、タッチローラ１に対向する部分に接着剤Ｇを付与する。その後、巻取アーム５０を再び前進させ巻取開始位置につけると、タッチローラ１上に保持した帯状シートＳの先端部に巻芯Ｃが押し付けられ、帯状シートＳの先端が接着剤により新たな巻芯Ｃに接着され、新たな巻芯Ｃに接着し、次の巻取りが可能になる。
【００４９】
シート保持機構５８は、必要に応じて押さえ板６５に替え、帯状シートを帯電させて静電気力により保持するもの等を採用してもよく、また切断機構も他の公知のものを採用してもよい。
【００５０】
図１７及び図１８は本発明の巻芯への接着剤付与装置の第３実施態様を示す。この巻芯への接着剤付与装置Ａ３は、巻芯Ｃ１、Ｃ２に接着剤Ｇを噴射する糊付頭２及びこの糊付頭２に補給する接着剤を有する糊付器３と、糊付頭２から接着剤を随時に噴射させる噴射機構６９と、糊付頭２を巻芯Ｃ１、Ｃ２の、タッチローラ１に対向する部分へ向けた状態で糊付器３を複数の巻芯Ｃ１、Ｃ２に平行な軸線方向に移動する移送機構４と、糊付頭２が各巻芯Ｃの糊付開始位置Ｌａ１、Ｌａ３に達すると糊付頭２から接着剤が噴射され、各巻芯Ｃ１、Ｃ２の糊付停止位置Ｌｂ１、Ｌｂ３に達すると糊付頭２からの接着剤の噴射が停止するように噴射機構６９を作動させる制御装置６とを備える。なお図１７において糊付頭２、糊付器３及び噴射機構６９以外の各要素は、それ自体図６に示す各要素と同じものであり同じ符号をつけている。
【００５１】
図１８に示すように、糊付器３は、その基台１１に取付けた、接着剤Ｇを溜めておくための容器１０を備え、糊付頭２は、接着剤を限定された範囲に噴射することができるノズルからなり、容器１０の上に巻芯Ｃへ向けて固設してある。噴射機構６９は、容器１０の中の接着剤Ｇを糊付頭２に導く通路７０を開閉することができる弁装置７１を備える。容器１０は密閉されており、その内部には圧縮空気が、圧縮空気供給孔１０ａを通して常時供給されるようになっていので、弁装置７１を開いたとき、容器１０内の接着剤Ｇは圧縮空気の働きにより糊付頭２から噴射される。弁装置７１は、図１７に示す制御装置６から所定電圧が出力され、それによって励磁されたソレノイド７２がニードル７３を圧縮コイルバネ７４の力に抗して弁座面から後退させたとき、糊付頭２への通路７０を開くことができ、ソレノイド７２が励磁されていないときは、圧縮コイルバネ７４の力によりニードル７３の円錐状の先端部が弁座面に押し当てられるので、糊付頭２への通路７０を閉じる。
【００５２】
図１９、図２０は本発明の帯状シート先端部への接着剤付与装置の一実施態様を示す。図１９に示す糊付器３は、図１８に示す糊付器３とは反対向きになっている。即ち、糊付頭２がタッチローラ１に対向するように基台１１に取付けてあり、基台１１は移送機構４の移動体１５に固着してある。図２０に示す帯状シート先端部への接着剤付与装置Ａ４は、シート分割巻取装置のタッチローラ１上に保持された複数の帯状シートＳの、シート分割巻取装置に装着した巻芯Ｃに対向する部分に接着剤Ｇを付与するものであり、帯状シートＳに接着剤Ｇを噴射する糊付頭２及びこの糊付頭２に補給する接着剤を有する糊付器３と、糊付頭２から接着剤を随時に噴射させる噴射機構６９と、糊付頭３をタッチローラ１上の帯状シートＳの巻芯Ｃへの対向部分に向けた状態で、糊付器３をタッチローラ１に平行な軸線方向に移動する移送機構４と、糊付頭２が各帯状シートの糊付開始位置に達すると糊付頭２から接着剤が噴射され、各帯状シートの糊付停止位置に達すると糊付頭２からの接着剤の噴射が停止するように噴射機構６９を作動させる制御装置６とを備える。図２０において糊付器３は図１９に示すものを採用しておりしており、糊付頭２の向きが図１７に示すものと異なるが、各要素自体は、図１７に示す要素と同じものであり同じ符号をつけている。
【００５３】
本発明では、図１３に示すシート分割巻取装置の左側の巻芯への接着剤付与装置Ａを、図２１及び図２２に示す巻芯への接着剤付与装置Ａに替えることができる。図２１及び図２２に示す巻芯への接着剤付与装置Ａは、図８乃至図１０に示すものと同じ構造の糊付器３並びに移送機構４及び進退機構５を備えている。また、支持バー１６と糊付頭の距離を短くして糊付頭２の移動中の振れを極力小さくするために、左右の接着剤付与装置Ａに備えた支持バー１６をその長手直角方向に昇降駆動することにより、糊付頭２が巻芯Ｃの接着剤付与箇所に向き合う図２２に実線で示す進出位置と、帯状シートの巻取りに支障のない図２２に鎖線で示す退避位置とに選択的に移動させることができる支持バー移動機構６６を備える。この支持バー移動機構６６は、支持バー１６の両端に設けた脚部１６ｂを案内する、フレーム１８に設けたレール６７と、支持バー１６の脚部１６ｂをレール６７に沿って駆動するアクチュエータ６８とからなる。
【００５４】
本発明によれば、必要に応じてその実施態様は変わり得る。例えば、図１、図６、図１７及び図２０ではスリッター７が広幅の帯状シートＳ０を４条の帯状シートＳに分割する例を示しているが、スリッター７による広幅の帯状シートＳ０の分割数は４条に限らない。また図１３に示す巻取装置Ｗは、各巻芯Ｃの両端を夫々一対の巻取アーム５０で支持するものであるが、必要に応じて、複数の巻芯を共通の巻軸で貫通して支持し、その巻軸の両端を巻取装置に装着するものであってもよい。また巻芯を巻取ロールの巻太りに関係なく固定位置に保持するものでもよい。また、本発明によるシート分割巻取装置は、その巻取装置毎に、上述の巻芯への接着剤付与装置、及び帯状シート先端部への接着剤付与装置のうちのいずれか一つを備えるものであればよい。
【００５５】
【発明の効果】
本発明の巻芯への接着剤付与装置によれば、巻芯の外周面のタッチローラに対向する部分に、その巻芯両端付近を残してほぼ全長に接着剤を自動的に短時間で付与することができる。そのため、巻芯に接着した帯状シートに巻取張力が幅方向に分散して作用するようになるので、帯状シートが薄くて伸び易いものであっても巻初めのシワの発生を防ぐことができる。また帯状シートの接着部分が巻芯を一周しないので、巻戻された帯状シートを巻芯から剥がし易くなり、巻芯を再利用する場合に都合が良い。また接着剤が帯状シートからはみ出して巻取ロール端面等に付着する恐れがない。また、シート分割巻取装置に装着した巻芯に接着剤を付与するので巻芯上の所定位置に正確に接着剤を付与でき、接着剤を付与してから短時間で巻芯に帯状シート先端部を接着することができるため、接着剤が乾き易いものであっても確実な接着が得られる。また、本発明の巻芯への接着剤付与装置、帯状シート先端部への接着剤付与装置は、シート分割巻取装置に装着した複数の巻芯沿いに共通の糊付器を走行させるので、例えば巻取ロールとタッチローラとが作る谷間上空の空所を利用して設けることができ、設置空間も比較的少なくて済む。
【００５６】
また、制御装置は、スリッターによるシート分割位置に基づき、糊付器の接着剤付与動作を制御するものであることにより、帯状シート幅より巻芯長さが長くても、また巻芯長さに誤差があっても巻芯の適正な位置に適正な長さだけ接着剤を付与できる。また制御装置は、スリッターの自動制御装置からシート分割位置のデータを受け取るものであることにより、スリッターによるシート分割位置が変更されても、それに応じて自動的に接着剤の付与位置を変更することができる。また設定作業での誤りが生じない。
【００５７】
また、糊付頭を、塗布用ローラ、及び該塗布用ローラと容器内に配置した案内プーリとに掛けた無端ベルトとで構成することにより、糊付器の移動中に容器に溜めた接着剤が無端ベルトで糊付頭と巻芯の接触部分に供給されるので巻芯に接着剤を確実に塗布することができる。また巻芯上を移動する塗布用ローラは巻芯との摩擦力で回転するので、その駆動用のモータが不要になる。また、支持バーの一端付近に、前記塗布用ローラの外周部に係合して該塗布用ローラを回転させるための所定長さの係合体を備えることにより、長時間の休止等により前記糊付頭の接着剤が乾いたとしても、糊付器の移動開始直後に塗布用ローラが回転して接着剤が糊付頭に供給されるので、最初の巻芯にも確実に接着剤を塗布できる。
【００５８】
また、本発明のシート分割巻取装置によれば、帯状シート先端部の巻芯への接着作業が省力化され、その接着時間が大幅に短縮され、稼動率が向上する。また帯状シート先端の巻芯への接着が作業者の個人差無く確実に行われるので歩留まりが向上する。
【図面の簡単な説明】
【図１】本発明の巻芯への接着剤付与装置の第１実施態様に係る説明図である。
【図２】図１に示す糊付器並びに進退機構及び移送機構の正面図である。
【図３】図１に示す糊付器並びに進退機構及び移送機構の平面図である。
【図４】図１に示す糊付器並びに進退機構及び移送機構の側面図である。
【図５】図１に示す制御装置を説明するためのブロック図である。
【図６】本発明の巻芯への接着剤付与装置の第２実施態様に係る説明図である。
【図７】図６に示す制御装置を説明するためのブロック図である。
【図８】糊付器の他の態様を示す正面図である。
【図９】図８に示す糊付器の平面図である。
【図１０】図８における切断線Ｂ−Ｂ沿いの断面を図Ｄの方向に見た断面図である。
【図１１】図８に示す糊付器及び係合体の側面図である。
【図１２】移送機構及び進退機構の他の実施態様をに係る側面図である。
【図１３】巻芯への接着剤付与装置を備えるシート分割巻取装置の一実施態様に係る概略側面図である。
【図１４】図１３に示すシート分割巻取装置の概略平面図である。
【図１５】図１３に示すシート分割巻取装置における左側の巻芯への接着剤付与装置を示す概略側面図である。
【図１６】図１３に示すシート分割巻取装置における右側の巻芯への接着剤付与装置を示す概略側面図である。
【図１７】本発明の巻芯への接着剤付与装置の第３実施態様に係る説明図である。
【図１８】糊付頭から接着剤を随時に噴射させる噴射機構の説明図である。
【図１９】本発明の帯状シート先端部への接着剤付与装置の一実施例に係る概略側面図である。
【図２０】本発明の帯状シート先端部への接着剤付与装置の一実施態様に係る説明図である。
【図２１】巻芯への接着剤付与装置の他の実施態様を説明するための概略正面図である。
【図２２】図２１に示す巻芯への接着剤付与装置の概略側面図である。
【符号の説明】
Ｓ０　広幅の帯状シート
Ｓ　帯状シート
Ｃ　巻芯
Ｗ　巻取装置
１　タッチローラ
２　糊付頭
３　糊付器
４　移送機構
５　進退機構
６　制御装置
７　スリッター
８　刃物保持装置
９　案内梁部材
１０　容器
１１　基台
１２　流体圧シリンダ装置
１４　切換え弁
１５　移動体
１６　支持バー
１７　往復駆動機構
２５　糊付位置記憶手段
２６　位置検出手段
２７　制御信号発生手段
３０　分割位置記憶手段
３１　非付与長記憶手段
３２　糊付位置演算手段
３４　塗布用ローラ
３５　無端ベルト
３６　案内プーリ
４２　係合体
５７　切断機構
５８　シート保持機構
６１　ナイフ
６２　進出退避機構
６５　押さえ板
６６　支持バー移動機構
６９　噴射機構
【図１】
2004142938.tif 000003
【図２】
2004142938.tif 000004
【図３】
2004142938.tif 000005
【図４】
2004142938.tif 000006
【図５】
2004142938.tif 000007
【図６】
2004142938.tif 000008
【図７】
2004142938.tif 000009
【図８】
2004142938.tif 000010
【図９】
2004142938.tif 000011
【図１０】
2004142938.tif 000012
【図１１】
2004142938.tif 000013
【図１２】
2004142938.tif 000014
【図１３】
2004142938.tif 000015
【図１４】
2004142938.tif 000016
【図１５】
2004142938.tif 000017
【図１６】
2004142938.tif 000018
【図１７】
2004142938.tif 000019
【図１８】
2004142938.tif 000020
【図１９】
2004142938.tif 000021
【図２０】
2004142938.tif 000022
【図２１】
2004142938.tif 000023
【図２２】
2004142938.tif 000024